(57)【特許請求の範囲】
【請求項１】
本体（１）と、本体（１）に設けられる高さ可変機構（２）と、高さ可変機構（２）で高さを変更されるフレーム（３）と、フレーム（３）に着脱容易に取着されるシート（４）とからなり、
シート（４）の基端に差込具（２７）が取着され、該シート（４）の先端に掛止具（２８）が取着され、フレーム（３）に差込具（２７）及び掛止具（２８）を掛止する差込口が開設されることを特徴とする起立訓練用椅子。
【請求項２】
フレーム（３）の頂部に横バー（３１）が取着されることを特徴とする請求項１記載の起立訓練用椅子。
【請求項３】
フレーム（３）に、手摺り（１９）と膝受パッド（３３）が取着されることを特徴とする請求項１又は２記載の起立訓練用椅子。
【請求項４】
フレーム（３）の頂部にテーブル（４２）が取着され、フレーム（３）の中部に体幹ベルト（２６）が取着されることを特徴とする請求項１又は２記載の起立訓練用椅子。
【請求項５】
フレーム（３）に、手摺り（１９）とシート（４）が同一平面に取着されることを特徴とする請求項１又は２記載の起立訓練用椅子。
【請求項６】
本体（１）に、高さを読み取る目盛（１２）が取着されることを特徴とする請求項１乃至５のいずれか１項に記載の起立訓練用椅子。
【請求項７】
目盛（１２）は、シート（４）、横バー（３１）、手摺り（１９）の高さのうち少なくとも１つ以上の高さを指示可能であることを特徴とする請求項６記載の起立訓練用椅子。
【請求項８】
シート（４）の表面に緩衝材（２９）が貼着され、裏面に平板（３０）が取着されてなることを特徴とする請求項１乃至７のいずれか１項に記載の起立訓練用椅子。
【請求項９】
本体（１）の後側に後カバー（９）が取着され、該カバー（９）にプロテクター（１０）が取着され、本体（１）の後部に車輪（１１）が取着され、該車輪（１１）は通常設置時に床面に接触しない位置としたことを特徴とする請求項１乃至８のいずれか１項に記載の起立訓練用椅子。
【請求項１０】
本体（１）と、本体（１）に設けられる高さ可変機構（２）と、高さ可変機構（２）で高さが変更されるフレーム（３）と、フレーム（３）に着脱容易に取着されるシート（４）とからなるシート式の起立訓練用椅子（３５）に対向して、
本体（１）と、本体（１）に設けられる高さ可変機構（２）と、高さ可変機構（２）で高さを変更されるフレーム（３）と、該フレーム（３）に取着される手摺り（１９）及び膝受パッド（３３）とからなる手摺り式の起立訓練用椅子（３６）か、又は、本体（１）と、本体（１）に設けられる高さ可変機構（２）と、高さ可変機構（２）で高さを変更されるフレーム（３）と、該フレーム（３）の頂部に取着される横バー（３１）とからなる横バー式の起立訓練用椅子（３９）が設けられる起立訓練用椅子。
【発明の詳細な説明】
【０００１】
【産業上の利用分野】
本発明は、下肢の運動機能に障害を持つ患者が、起立能力の評価及び起立機能の回復訓練をする起立訓練用椅子に関する。
【０００２】
【従来の技術】
従来の技術として実開平６−２６５９９１号公報に、背部と、前端側が上方へ揺動自在な座部とでなる椅子が開示されている。
【０００３】
【発明が解決しようとする課題】
前述した従来の椅子は患者の起立を援助するものであって、椅子の高さを表示する構成が備わっておらず、患者の起立の能力を評価することが困難であった。
又、座位から起立することはできても、肋木を用いた起立訓練、平行棒を用いた起立訓練、上肢支持台を用いた起立訓練等の総合的且つ効果的な起立訓練はできないものであった。更に、起立状態を保持する訓練も出きないものであった。
本発明の目的は、上記不都合構成を解決したものであり、起立動作の能力を評価でき、効果的に起立訓練を行ない、更に、起立状態を保持する訓練も行なえる起立訓練用椅子を提供することにある。
【０００４】
【課題を解決するための手段】
即ち本発明は、本体（１）と、本体（１）に設けられる高さ可変機構（２）と、高さ可変機構（２）で高さを変更されるフレーム（３）と、フレーム（３）に着脱容易に取着されるシート（４）とからなり、シート（４）の基端に差込具（２７）が取着され、該シート（４）の先端に掛止具（２８）が取着され、フレーム（３）に差込具（２７）及び掛止具（２８）を掛止する差込口が開設されることを特徴とする起立訓練用椅子である。又、前記フレーム３の頂部に横バー３１が取着される。又、前記フレーム３に、手摺り１９と膝受パッド３３が取着される。又、前記フレーム３の頂部にテーブル４２が取着され、フレーム３の中部に体幹ベルト２６が取着される。又、前記フレーム３に、手摺り１９とシート４が同一平面に取着される。又、前記本体１に、高さを読み取る目盛１２が取着される。
目盛１２は、シート４、横バー３１、手摺り１９の高さのうち少なくとも１つ以上の高さを指示可能である。
又、前記シート４の表面に緩衝材２９が貼着され、裏面に平板３０が取着される。又、前記本体１の後側に後カバー９が取着され、該カバー９にプロテクター１０が取着され、本体１の後部に車輪１１が取着され、該車輪１１は通常設置時に床面に接触しない位置とする。又、前記本体１と、本体１に設けられる高さ可変機構２と、高さ可変機構２で高さが変更されるフレーム３と、フレーム３に着脱容易に取着されるシート４とからなるシート式の起立訓練用椅子３５に対向して、本体１と、本体１に設けられる高さ可変機構２と、高さ可変機構２で高さを変更されるフレーム３と、該フレーム３に取着される手摺り１９及び膝受パッド３３とからなる手摺り式の起立訓練用椅子３６か、又は、本体１と、本体１に設けられる高さ可変機構２と、高さ可変機構２で高さを変更されるフレーム３と、該フレーム３の頂部に取着される横バー３１とからなる横バー式の起立訓練用椅子３９が設けられる。
【０００５】
【作用】
本発明を用いて起立訓練を行なうが、その際、本体１に設けられる高さ可変機構２はフレーム３を昇降させる。フレーム３に着脱自在に取着されるシート４は、その上に座した患者の腰部位置を高低変更し、起立を開始する高さを調整する。前記フレーム３は、該フレーム３に取着される横バー３１を昇降させる。又、フレーム３は、該フレーム３の頂部に取着されるテーブル４２を昇降させる。フレーム３の中部に取着された体幹ベルト２６は患者を本体１に固定する。又、フレーム３は、該フレーム３に取着される手摺り１９及び膝受パッド３３を昇降させる。又、フレーム３は、該フレーム３に、同一平面に取着された手摺り１９及びシート４を昇降させる。
【０００６】
本体１に取着された目盛１２は、シート４と横バー３１と手摺り１９の高さを指示し、評価者は指示値を読み取る。
シート４の基端に取着された差込具２７を、手動でフレーム３の差込口２１に差し込み掛止し、シート４を突出状にフレーム３に掛止する。
シート４の先端に取着された掛止具２８を、手動でフレーム３の差込口２１に掛止し、シート４を垂下状にフレーム３に掛止する。
シート４の表面に貼着された緩衝材２９は、患者の接触する臀部を緩衝する。シート４の裏面に取着された平板３０は器物を載せるテーブル４２として用いる。
【０００７】
本体１の後側に取着された後カバー９は、本体１の後側を覆い、該後カバー９に取着されたプロテクター１０は後カバー９の破損を防ぐ。
本体１の後部に取着された車輪１１は、本体１を後方へ傾けると床面に接触し本体１を移動容易に支持する。
シート式の起立訓練用椅子３５に手摺り式の起立訓練用椅子３６を対向させているものにおいては、シート式の起立訓練用椅子３５は座させた患者の腰部の高さを調節し、手摺り式の起立訓練用椅子３６は手摺り１９の高さを調整し、座した患者は該手摺り１９を掴んで起立訓練をする。
又、シート式の起立訓練用椅子３５に横バー式の起立訓練用椅子３９を対向させているものにおいては、シート式の起立訓練用椅子３５に座した患者は横バー３１を掴んで起立訓練をする。
【０００８】
【実施例】
図面を参照して本発明の実施例を説明すると、先ず第１実施例は、床面に置かれる本体１と、本体１に設けられる高さ可変機構２と、高さ可変機構２で高さを変更されるフレーム３と、フレーム３に着脱容易に取着されるシート４とからなる。
前記本体は、床面に縦状に置かれる縦枠５と、縦枠５の下部には、本体左右から前方に向けて脚６が着脱可能に取着され、脚６間には本体１からフットプレート７が前方に向けて設けられ、縦枠５の上部には上面カバー８が被せられる。
前記縦枠５の後側に後カバー９が取着され、該後カバー９にはプロテクター１０が取着され、本体１の後部に車輪１１が取着される。該車輪１１は、通常定置状態では実施例機器の荷重を受けない位置に取着される。
縦枠５の一側面には高さ可変機構２を制御指示するリモコン４０が引っ掛けられる。
【０００９】
プロテクター１０は本体１を後傾させる時、実施例機器を扱う者が足を当てるように設けたものであり、靴などの当接物から受ける損傷を防ぐものである。
本体１に高さを読み取る目盛１２が取着され、該目盛１２はシート４の高さを指示するシート高さ目盛１３である。
図示を省略するが、目盛１２の他の実施例は、本体１に、フレーム３の昇降を検出するエンコーダーと、エンコーダーの出力を得て高さを数値表示するデジタル表示器とから構成する。
前記高さ可変機構２は、自動の場合、モーター１４と、該モーター１４で回動させられるネジ軸１５と、ネジ軸１５に螺合される雌ネジ体１６とで構成される。
【００１０】
前記フレーム３は本体１に設けたレール１７に摺動自在に取付けられ、該フレーム３に前記雌ネジ体１６が連結され、ネジ軸１５の回動に従って雌ネジ体１６及びフレーム３は昇降する。
フレーム３の正面の所定位置に水平方向に横枠１８が取着され、フレーム３より左右外方に突出した突出部分に手摺り１９が取着される。手摺り１９は、その付け根部分に設けた軸部２０を中心に上方へ回動でき、手摺り１９を使用しない時には上方へ回動させておく。
フレーム３には差込口２１が開口され、該差込口２１には、フレーム３の下部に開口される下部差込口２２と、フレーム３の手摺り１９と同高部位に開口される中部差込口２３と、頂部に開口される頂部差込口２４がある。
フレーム３の正面には背部シート２５及び体幹ベルト２６が取着され。
【００１１】
前記シート４の取付基端には差込具２７が取着され、該差込具２７が前記下部差込口２２に差し込まれ、フレーム３中の突起体３４に掛止されることによってシート４は実施例機器の前方に突出状に取着される。
前記シート４の先端には掛止具２８が取着され、該掛止具２８が前記下部差込口２２におけるフレーム３部材に掛止されることによってシート４はフレーム３に垂下状に掛止される。
シート４の表面に緩衝材２９が貼着され、裏面に平板３０が取着されてなる。
【００１２】
第２実施例は、フレーム３の頂部に、横バー３１が水平方向に取着され、横バー３１の両端には、横バーを持つ手が側方へ滑り外れるのを防ぐ効果を有する端面キャップ３２が取着される。第３実施例は、フレーム３の正面に、手摺り１９と膝受パッド３３が取着される。該膝パッド３３は、掛止具２８を中部差込口３３に引っ掛け、シート４をフレーム３に垂下状に掛止したものである。第４実施例は、フレーム３の頂部に、実施例機器の後方へ突出させてテーブル４２が取着される。該テーブル４２はシート４を裏面を上方に向けて差込具２７を頂部差込口２４に差し込み取着したものである。第５実施例は、シート４が、フレーム３の中部差込口２３に差し込まれ手摺り１９と同一平面に位置している。シート４と手摺り１９は、上肢を支持する上肢支持台４３を形成する。第６実施例は、第１実施例のシート式の起立訓練用椅子３５に対向して、第３実施例の手摺り式の起立訓練用椅子３６が設けられる。本体１に取着される前記目盛１２には、前記シート高さ目盛１３と、前記横バー３１の高さを指示する横バー高さ目盛３７と、手摺り１９の高さを指示する手摺り高さ目盛３８がある。
【００１３】
図示を省略するが、実施例１のシート式の起立訓練用椅子部３５に対向して、実施例２の横バー式の起立訓練用椅子部３９を設けるものもある。
前記高さ可変機構２が手動の場合は、フレーム３の左右位置に差込口２１を上下方向にわたって多数個開けて構成し、シート４の差込具２７を適宜選択的に差し込んで該シート４の高さを変更する。
【００１４】
使用に際して、第１実施例におけるシート４に患者を座らせる。患者に起立を促し、自身で起立できる下限のシート高さを読む。
即ち、シート４を高く設定した起立訓練から行ない、徐々に低い設定の起立訓練を行ない、次第に訓練の難易度を上げ、通常の起立能力状態に近付けていく。
シート高さ目盛１３を利用して起立能力についての定量的な評価をする。
シート４は、リモコン４０を操作して高さ可変機構を作動させることによって昇降するが、この時シート４に患者が座ったままでも昇降できる。
【００１５】
第２実施例では、該実施例に車椅子４１に座った患者が向い、フットプレート７の上に足を置き、横バー３１を両手で握り、患者が自身の胴部を引き上げるように力を入れ、上肢の力を利用して起立訓練をする。従来の肋木を用いた起立訓練を行なう。
前記横バー３１はフレーム３の最上位置にあるので、起立動作時に患者が横バー３１を越え実施例機器の後方へ頭を乗り出すこともできる。
シート４は、垂直状態に位置させて膝パッド３３として用いる。
【００１６】
第３実施例では、該実施例に対向して患者は適宜な椅子（図示省略）に座し、手摺り１９を掴み、上肢の力を利用して起立訓練をする。従来の平行棒を用いた起立訓練を行なう。
起立動作中に前方へ突出する膝を膝受パッド３３で受ける。第１実施例のものに前記手摺り１９を設け該手摺り１９を掴んで起立すれば、起立動作が容易となる。
【００１７】
第４実施例では、患者の体幹を、フレーム３の中部に取着される体幹ベルト２６で、フレーム３に取着された背シート４に固定する。このような状態で立位耐久性、立位バランス等の訓練を行なう。患者の伸長等個体差に対応して、シート４の平板３０を上にして頂部差込口２４に差し込んでなるテーブル４２の高さを、高さ可変機構２を作動させて高さ調節する。
【００１８】
第５実施例における手摺り１９及びシート４で形成される上肢支持台４３の上に、患者は上体を載せて起立訓練をする。
又、上体を載せておいて、高さ可変機構２を電気的に作動させて上肢支持台４３を上昇させ、起立動作を支援する。
第６実施例におけるシート式の起立訓練用椅子３５に患者が座り、患者は起立訓練用椅子３５に対向して設置した手摺り式の起立訓練用椅子３６における手摺り１９を掴んで、上肢の力を利用して起立訓練をする。
そして、シート４の高さを変更調節し、患者に課題として与える訓練の難易等の訓練条件を好適に設定する。
尚、シート式の起立訓練用椅子３５に横バー式の起立訓練用椅子３９を対向設置したものにおいても第６実施例に述べた様に、上肢を利用した起立訓練をし、シート４の高さ調節で訓練条件を好適に設定する。
【００１９】
【発明の効果】
本発明は、フレーム３に着脱容易に取着されるシート４を有するから、シート４を用いた起立機能の評価及び起立訓練を行なうことができることに加え、横バー３１を用いた起立訓練、手摺り１９を用いた起立訓練、テーブル４２を用いた立位耐久訓練、同一平面にするシート４及び手摺り１９を利用した起立訓練などができ、機器の利用範囲を拡大できると共に５種類の訓練を適宜応用することにより効果的な訓練を実施できることになった。
【００２０】
本発明は、シート４に差込具２７及び掛止具２８が差込口２１に取着されているので、フレーム３からシート４を着脱するのが容易であり、又、差込口２１を適宜に選択することによってシート４の高さを調節でき、好都合である。又、掛止具２８をフレーム３の横枠１８に掛止し、シート４を垂下状にし膝パッド３３として兼用でき、好都合である。
【００２１】
本発明は、フレーム３の頂部に取着されている横バー３１を用いて、起立訓練ができる。自身の力で起立する訓練と共に、患者が掴んだ状態の横バー３１を電動で上昇させることによる起立支援も実施できる。更に、横バー３１はフレーム３の頂部にあるので、起立動作中にフレーム３の後方へ頭を乗り出すこともでき、動作の自由度を高め、頭を打つ等の危険が無く安全に訓練できる。
【００２２】
本発明は、フレーム３に、手摺り１９と膝受パッド３３が取着されているので、手摺り１９を掴んでプッシュアップによる起立訓練ができる。この訓練は在宅復帰を目指すための起立訓練として有効な訓練であり、当該訓練を手摺り１９の高さを適宜変更調節しながら、患者の能力に対応させ好適な訓練ができる。
【００２３】
本発明は、フレーム３の頂部にテーブル４２が取着され、フレーム３の中部に体幹ベルト３４が取着されているので、体幹ベルト３４で身体を固定しておいて立位耐久性、立位バランスの訓練を行なうことができる。又、テーブル４２を利用して作業療法を併行して実施でき、訓練時間の短縮及び訓練の能率向上に有益である。
【００２４】
本発明は、フレーム３に、手摺り１９及びシート４が同一平面に取着されているので、手摺り１９及びシート４に上体を載せて起立訓練ができるので、上肢や、体幹を安定に支持して、不安無く訓練ができる。それ故に脳卒中片麻痺患者や老人の起立訓練に好適である。又、在宅復帰を目指す訓練としての適応も高く、例えば座卓に手を突いて起立する場合などのシュミレーション訓練ができ好都合である。
【００２５】
本発明は、本体１に、シート４、横バー３１、手摺り１９等の高さを読み取る目盛１２が取着されているので、これらの部材の高さを知ることにより、起立に係る能力を評価することができ、訓練の成果を確認でき、更に訓練課程のチエック及び計画立案ができ、好都合である。又、横バー高さ目盛３７から得る値は能力評価と共に、家屋改造時の手摺り処方にも利用できる。
【００２６】
本発明のシート４は、平板３０の表面に緩衝材２９が貼着され作られているので、水平位置にして表面を上に向けて使用すればシート４として使用でき、水平位置にして裏面を上に向けて使用すればテーブル４２として使用でき、シート４部材の利用度を高め、好都合である。
【００２７】
本発明は、本体１の後側に後カバー９が取着され、該カバー９にプロテクター１０が取着され、本体１の後部に車輪１１が取着されているので、プロテクター１０に足を当て容易に本発明機器を後傾させることができる。即ち、移動を容易にするために車輪１１に本発明機器を支持させる際、本発明機器の後傾操作が極めて簡単であり、機器に損傷を与えず、好都合である。
【００２８】
本発明は、シート式の起立訓練用椅子３５に対向して、手摺り式の起立訓練用椅子３６か、又は、横バー式の起立訓練用椅子３９が設けられるので、手摺り１９によるプッシュアップ及び起立訓練をする際、又は、横バーを掴んで起立訓練をする際、シート式の起立訓練用椅子３５のシート４の高さを適宜変更し、患者の訓練に好適に条件設定を行なうことができ、起立訓練効果を高めることができる。
【図面の簡単な説明】
【図１】本発明の実施例の正面図である。
【図２】本発明の実施例の平面図である。
【図３】本発明の実施例の側面図である。
【図４】本発明の実施例の背面図である。
【図５】本発明の実施例のシートの水平掛止状態を示す断面図である。
【図６】本発明の実施例のシートの垂下掛止状態を示す断面図である。
【図７】本発明の実施例のシート式の起立訓練用椅子を示す図である。
【図８】本発明の実施例の横バー式の起立訓練用椅子を示す図である。
【図９】本発明の実施例のシート式の起立訓練用椅子と手摺り式の起立訓練用椅子を示す図である。
【図１０】本発明の実施例のテーブル式の起立訓練用椅子を示す図である。
【図１１】本発明の実施例の上肢支持台式の起立訓練用椅子を示す図である。
【符号の説明】
１  本体
２  高さ可変機構
３  フレーム
４  シート
９  後カバー
１０  プロテクター
１１  車輪
１２  目盛
１９  手摺り
２１  差込口
２６  体幹ベルト
２７  差込具
２８  掛止具
３０  平板
３１  横バー
３３  膝受パッド
３５  シート式の起立訓練用椅子
３６  手摺り式の起立訓練用椅子
４２  テーブル
【図１】
0003549921.tif 000002
【図２】
0003549921.tif 000003
【図３】
0003549921.tif 000004
【図４】
0003549921.tif 000005
【図５】
0003549921.tif 000006
【図６】
0003549921.tif 000007
【図７】
0003549921.tif 000008
【図８】
0003549921.tif 000009
【図９】
0003549921.tif 000010
【図１０】
0003549921.tif 000011
【図１１】
0003549921.tif 000012